(57)【要約】［課題］ユーザの利便性を向上させること。［解決手段］情報処理装置は、出発地から到着地までの経路情報に基づいて、少なくとも前記到着地における無線通信装置の予測通信品質を取得する予測品質取得部、を備える。
2018164086.tif 000002
【特許請求の範囲】
【請求項１】
出発地から到着地までの経路情報に基づいて、少なくとも前記到着地における無線通信装置の予測通信品質を取得する予測品質取得手段、
を備える情報処理装置。
【請求項２】
前記出発地と、前記到着地と、前記出発地での出発時刻および前記到着地での到着時刻のいずれかの時刻情報と、データサイズとを含む検索情報を取得する情報取得手段と、
前記検索情報に基づいて、前記出発地から前記到着地までの経路を検索して経路情報を取得する検索手段と、
前記経路情報と前記予測通信品質とを通知する通知手段と、
を更に備える請求項１に記載の情報処理装置。
【請求項３】
前記予測品質取得手段は、予め各地で測定された通信品質に基づいて予測された前記予測通信品質を取得する
請求項１または請求項２に記載の情報処理装置。
【請求項４】
前記予測品質取得手段は、前記経路情報に中継地がある場合、前記中継地における無線通信装置の予測通信品質を取得する
請求項１から請求項３のいずれか一項に記載の情報処理装置。
【請求項５】
前記予測品質取得手段は、前記経路情報に基づいて、少なくとも前記到着地における無線通信装置の位置情報を取得し、前記無線通信装置の前記予測通信品質を取得する
請求項１から請求項４のいずれか一項に記載の情報処理装置。
【請求項６】
出発地から到着地までの経路情報と、少なくとも前記到着地における無線通信装置の予測通信品質とを表示する表示手段、
を備える端末装置。
【請求項７】
出発地から到着地までの経路情報に基づいて、少なくとも前記到着地における無線通信装置の予測通信品質を取得する、
情報処理方法。
【請求項８】
出発地から到着地までの経路情報と、少なくとも前記到着地における無線通信装置の予測通信品質とを表示する、
情報処理方法。
【請求項９】
情報処理装置のコンピュータに、
出発地から到着地までの経路情報に基づいて、少なくとも前記到着地における無線通信装置の予測通信品質を取得する処理、
を実行させるためのプログラムが記憶された記憶媒体。
【請求項１０】
端末装置のコンピュータに、
出発地から到着地までの経路情報と、少なくとも前記到着地における無線通信装置の予測通信品質とを表示する処理、
を実行させるためのプログラムが記憶された記憶媒体。
【発明の詳細な説明】
【技術分野】
【０００１】
本発明は、情報処理装置、端末装置、情報処理方法、およびプログラムに関する。
【背景技術】
【０００２】
近年、スマートフォン等の普及に伴い動画や画像などの大容量データファイルをダウンロードしたりアップロードしたりする機会が増加している。ユーザが定額制通信サービスを利用している場合であっても、通信容量に上限があるため、無線アクセスポイントなどでの通信を希望する場合が多い。例えば、特許文献１に記載の技術は、現在地周辺の無線アクセスポイントの通信速度と、現在地周辺における通信可能場所をユーザに提示するものである。また、例えば、特許文献２に記載の技術は、通信可能な道路と通信不可能な道路とを地図上に表示するものである。
【先行技術文献】
【特許文献】
【０００３】
【特許文献１】特開２０１６−７６８４０号公報
【特許文献２】特開２００４−９６２６７号公報
【発明の概要】
【発明が解決しようとする課題】
【０００４】
ユーザが移動する場合、特許文献１や特許文献２に記載の技術を用いても、現在地周辺の無線アクセスポイントの有無や現在地周辺の通信速度等の通信品質しか把握できず、目的地における無線アクセスポイントの有無や、通信品質は、実際にその場所に到着してからでないとわからず、ユーザの利便性が十分でないという課題があった。【０００５】
本発明は、上述の課題を解決する情報処理装置、端末装置、情報処理方法、およびプログラムを提供することを目的とする。
【課題を解決するための手段】
【０００６】
本発明の第１の態様は、出発地から到着地までの経路情報に基づいて、少なくとも前記到着地における無線通信装置の予測通信品質を取得する予測品質取得部、を備える情報処理装置である。【０００７】
本発明の第２の態様は、出発地から到着地までの経路情報と、少なくとも前記到着地における無線通信装置の予測通信品質とを表示する表示部、を備える端末装置である。【０００８】
本発明の第３の態様は、出発地から到着地までの経路情報に基づいて、少なくとも前記到着地における無線通信装置の予測通信品質を取得する、情報処理方法である。【０００９】
本発明の第４の態様は、出発地から到着地までの経路情報と、少なくとも前記到着地における無線通信装置の予測通信品質とを表示させる、情報処理方法である。【００１０】
本発明の第５の態様は、情報処理装置のコンピュータに、出発地から到着地までの経路情報に基づいて、少なくとも前記到着地における無線通信装置の予測通信品質を取得する予測品質取得ステップ、を実行させるためのプログラムである。【００１１】
本発明の第６の態様は、端末装置のコンピュータに、出発地から到着地までの経路情報と、少なくとも前記到着地における無線通信装置の予測通信品質とを表示させる表示ステップ、を実行させるためのプログラムである。
【発明の効果】
【００１２】
本発明の一態様によれば、ユーザの利便性を向上させることができる。
【図面の簡単な説明】
【００１３】
【図１】第１の実施形態に係る情報処理システムの構成の一例を示すシステム構成図である。
【図２】第１の実施形態に係る端末装置のハードウェア構成の一例を示す概略ブロック図である。
【図３】第１の実施形態に係る端末装置のソフトウェア構成の一例を示す概略ブロック図である。
【図４】第１の実施形態に係る端末装置のソフトウェア構成の他の一例を示す概略ブロック図である。
【図５】第１の実施形態に係る経路検索装置のハードウェア構成の一例を示す概略ブロック図である。
【図６】第１の実施形態に係る経路検索装置のソフトウェア構成の一例を示す概略ブロック図である。
【図７】第１の実施形態に係る経路検索装置のソフトウェア構成の他の一例を示す概略ブロック図である。
【図８】第１の実施形態に係る端末装置による情報処理の一例を示すフローチャートである。
【図９】第１の実施形態に係る経路検索装置による情報処理の一例を示すフローチャートである。
【発明を実施するための形態】
【００１４】
以下、本発明の実施形態について図面を参照して説明する。
【００１５】
（第１の実施形態）
図１は、第１の実施形態に係る情報処理システムＳｙｓの構成の一例を示すシステム構成図である。
情報処理システムＳｙｓは、端末装置１−１と、端末装置１−２と、第１の無線アクセスポイント２と、測定装置３と、測定結果記憶装置４と、第２の無線アクセスポイント５と、経路検索装置６と、管理装置７と、予測装置８と、を含んで構成される。
端末装置１−１は、第１の無線アクセスポイント２を介して通信する。端末装置１−２は、第２の無線アクセスポイント５を介して通信する。ここで、第１の無線アクセスポイント２と、第２の無線アクセスポイント５とは、基地局装置であってもよいし、無線アクセスポイントであってもよいし、端末装置およびネットワークと通信可能な通信装置であってもよい。また、第１の無線アクセスポイント２と、第２の無線アクセスポイント５とは、説明の便宜上異なるものとして説明するが同じアクセスポイントであってもよいし、異なるアクセスポイントであってもよい。また、端末装置１−１と、端末装置１−２とを特に区別しないときは、端末装置１と称する。
【００１６】
第１の無線アクセスポイント２と、測定装置３と、測定結果記憶装置４と、第２の無線アクセスポイント５と、経路検索装置６と、管理装置７と、予測装置８とのそれぞれは、ネットワークＮＷを介して相互に通信可能である。
端末装置１は、例えばスマートフォン、タブレット端末などの無線通信が可能な電子機器である。端末装置１は、ユーザ操作に応じて測定された所定のサーバ装置との間の通信速度（スループット）を通信品質（ネットワーク品質）として表示する。
第１の無線アクセスポイント２および第２の無線アクセスポイント５は、例えばＷｉ−Ｆｉ（登録商標）などの無線アクセスポイントである。
【００１７】
測定装置３は、第１の無線アクセスポイント２を介して、端末装置１−１と所定のサーバ装置との間の通信速度（スループット）を通信品質（ネットワーク品質）として測定する。具体的には、測定装置３は、端末装置１−１との所定のサーバ装置間における上りリンク通信に係るスループットと下りリンク通信に係るスループットとをそれぞれ測定し、測定結果を端末装置１−１に送信する。
測定結果記憶装置４は、端末装置１−１から送信された通信品質の測定結果と日時情報と測定を行ったときの端末装置１−１の位置情報とを対応付けて記憶する。
なお、以下の説明では、端末装置１−１のような複数の端末装置と所定サーバ装置間の上りリンク通信に係るスループットと下りリンク通信に係るスループットとを日時情報と対応付けて測定結果記憶装置４が複数記憶しているものとする。
【００１８】
端末装置１−２は、ユーザによる出発地と、目的地と、出発時刻または到着時刻を含む時刻情報と、所望データ量を表すデータ量情報とを少なくとも含む経路検索のための検索情報を、第２の無線アクセスポイント５を介して経路検索装置６に送信する。また、端末装置１−２は、経路検索装置６から出発地から目的地までの経路情報と、所望データ量のアップロード又はダウンロードにかかる所要時間と、予測通信品質、到着地等における無線アクセスポイントの有無などの検索結果情報を受信する。端末装置１−２は、受信した検索結果情報に基づいて、検索結果をユーザに提示する。
【００１９】
経路検索装置６（情報処理装置とも称する。）は、端末装置１−２から受信した検索情報に基づいて、出発地から目的地までの経路、到着予定時刻を検索する。また、経路検索装置６は、検索情報に基づいて、目的地における無線アクセスポイントの有無の情報を管理装置７から抽出し、取得する。また、経路検索装置６は、検索情報に含まれる目的地と、検索結果に含まれる該目的地への到着予定時刻とに基づいて、予測装置８に目的地における通信品質の予測結果を要求する。そして、経路検索装置６は、予測装置８から目的地での到着予定時刻における通信品質の予測結果を取得する。経路検索装置６は、端末装置１−２に検索結果として、出発地から目的地までの経路情報と、所望データ量のアップロード又はダウンロードにかかる所要時間と、予測通信品質と、到着地等における無線アクセスポイントの有無などの検索結果情報を送信する。
【００２０】
管理装置７は、駅や空港などの公共施設等における無線アクセスポイントの位置情報を管理し、要求に応じて該無線アクセスポイントの位置情報を提供する。
予測装置８は、経路検索装置６からの検索情報と検索結果情報とに基づいて、目的地における到着予定時刻での予測通信品質を予測する。具体的には、予測装置８は、過去の該目的地における通信品質の測定結果を記憶する測定結果記憶装置４から、該到着予定時刻における通信品質の測定結果を抽出し、目的地での予測通信品質として取得する。予測装置８は、取得した予測通信品質を、経路検索装置６に送信する。
【００２１】
図２は、第１の実施形態に係る端末装置１のハードウェア構成の一例を示す概略ブロック図である。
端末装置１は、ＣＰＵ１０と、ドライブ部１１と、記憶媒体１２と、入力部１３と、出力部１４と、ＲＯＭ１５（Read  Only  Memory：ロム）と、ＲＡＭ１６（Random  Access  Memory：ラム）と、補助記憶部１７と、インタフェース部１８と、を備える。ＣＰＵ１０と、ドライブ部１１と、入力部１３と、出力部１４と、ＲＯＭ１５と、ＲＡＭ１６と、補助記憶部１７と、インタフェース部１８とは、バスを介して相互に接続される。
【００２２】
ＣＰＵ１０は、補助記憶部１７が記憶するプログラム、ＲＯＭ１５およびＲＡＭ１６が記憶する各種データを読み出して実行し、端末装置１を制御する。また、ＣＰＵ１０は、ドライブ部１１を介して記憶媒体１２が記憶する各種データを読み出して実行し、端末装置１を制御する。記憶媒体１２は、光磁気ディスク、フレキシブルディスク、フラッシュメモリなどの可搬記憶媒体であり、各種データを記憶する。ドライブ部１１は、光ディスクドライブ、フレキシブルディスクドライブなどの記憶媒体１２の読み出し装置である。
入力部１３は、マウス、キーボード、タッチパネルなどの入力装置である。出力部１４は、表示部、スピーカなどの出力装置である。ＲＯＭ１５、ＲＡＭ１６は、各種データを記憶する。補助記憶部１７は、ハードディスクドライブ、フラッシュメモリなどであり、端末装置１の各機能部を動作させるためのプログラム、各種データを記憶する。インタフェース部１８は、通信インタフェースを有し、有線または無線によりネットワークＮＷに接続される。
【００２３】
例えば、後述する図３における端末装置１のソフトウェア構成における位置情報取得部１００、入力部１０３は、図２における入力部１３に対応し、図３における通知部１０２は、図２におけるインタフェース部１８に対応し、図３における品質測定部１０１、結果取得部１０４は、図２におけるＣＰＵ１０に対応し、図３における表示部１０５は、図２における出力部１４に対応する。
【００２４】
図３は、第１の実施形態に係る端末装置１のソフトウェア構成の一例を示す概略ブロック図である。
端末装置１は、位置情報取得部１００と、品質測定部１０１と、通知部１０２と、入力部１０３と、結果取得部１０４と、表示部１０５と、を含んで構成される。
【００２５】
＜通信品質の測定＞
まず、通信品質の測定について説明する。
位置情報取得部１００は、例えば、ＧＰＳ（Ｇｌｏｂａｌ  Ｐｏｓｉｔｉｏｎｉｎｇ  Ｓｙｓｔｅｍ）により、緯度経度から成る端末装置１の位置情報を取得する。
品質測定部１０１は、例えば、測定装置３と通信し、端末装置１と所定サーバ装置との間の通信品質として、上りリンクのスループットおよび下りリンクのスループットの測定のためのパケットを送受信する。
通知部１０２は、測定装置３から測定結果を受信すると、該測定結果と位置情報取得部１００が取得した位置情報と日時情報とを対応付けて測定結果記憶装置４に通知し、記憶させる。
なお、端末装置１に通信品質測定用の専用アプリケーションを予めインストールすることにより、端末装置１の品質測定部１０１が測定装置３と通信を行うことによって、通信品質を測定してもよい。この場合、品質測定部１０１は、位置情報取得部１００が取得した位置情報とアプリケーションを用いて測定した通信品質の測定結果とを該アプリケーション経由で測定結果記憶装置４に記憶させてもよい。
このようにして、端末装置１および測定装置３によって測定された通信品質は、測定結果記憶装置４に累積記憶される。
【００２６】
＜目的地での通信品質の予測＞
次に、目的地における通信品質の予測について説明する。
入力部１０３は、ユーザからの出発地と、目的地と、出発時刻または到着時刻と、所望データ量との入力を、検索情報として受け付ける。ここで、出発地は、位置情報取得部１００によって取得した位置情報を用いてもよいし、目的地と、該目的地における到着時刻と、所望のデータ量とを検索情報として受け付けてもよい。
結果取得部１０４は、入力部１０３が受け付けた目的地での通信品質予測のための検索情報を経路検索装置６に送信する。そして、結果取得部１０４は、経路検索装置６から検索結果情報を受信することで目的地における予測通信品質を表す検索結果を取得する。
表示部１０５は、結果取得部１０４が取得した検索結果を表示する。
なお、入力部１０３は、出発地と、目的地の他に経由地の入力を受け付けてもよい。この場合、経由地を第１目的地、目的地を第２目的地として、第１目的地と第２目的地とのそれぞれの予測通信品質を取得すればよい。
【００２７】
図４は、第１の実施形態に係る端末装置１のソフトウェア構成の他の一例を示す概略ブロック図である。
図示するように、端末装置１は、表示部１０５を少なくとも備えていればよい。
【００２８】
図５は、第１の実施形態に係る経路検索装置６のハードウェア構成の一例を示す概略ブロック図である。
経路検索装置６は、ＣＰＵ６０と、ドライブ部６１と、記憶媒体６２と、入力部６３と、出力部６４と、ＲＯＭ６５（Read  Only  Memory：ロム）と、ＲＡＭ６６（Random  Access  Memory：ラム）と、補助記憶部６７と、インタフェース部６８と、を備える。ＣＰＵ６０と、ドライブ部６１と、入力部６３と、出力部６４と、ＲＯＭ６５と、ＲＡＭ６６と、補助記憶部６７と、インタフェース部６８とは、バスを介して相互に接続される。
【００２９】
ＣＰＵ６０は、補助記憶部６７が記憶するプログラム、ＲＯＭ６５およびＲＡＭ６６が記憶する各種データを読み出して実行し、経路検索装置６を制御する。また、ＣＰＵ６０は、ドライブ部６１を介して記憶媒体６２が記憶する各種データを読み出して実行し、経路検索装置６を制御する。記憶媒体６２は、光磁気ディスク、フレキシブルディスク、フラッシュメモリなどの可搬記憶媒体であり、各種データを記憶する。ドライブ部６１は、光ディスクドライブ、フレキシブルディスクドライブなどの記憶媒体６２の読み出し装置である。入力部６３は、マウス、キーボード、タッチパネルなどの入力装置である。出力部１４は、表示部、スピーカなどの出力装置である。ＲＯＭ６５、ＲＡＭ６６は、各種データを記憶する。補助記憶部６７は、ハードディスクドライブ、フラッシュメモリなどであり、経路検索装置６の各機能部を動作させるためのプログラム、各種データを記憶する。インタフェース部６８は、通信インタフェースを有し、有線または無線によりネットワークＮＷに接続される。
【００３０】
例えば、後述する図６における経路検索装置６のソフトウェア構成における情報取得部６００、経路検索部６０１、抽出部６０２、予測品質要求部６０３、予測品質取得部６０４、検索結果通知部６０５は、ＣＰＵ６０に対応し、インタフェース部６８を介して端末装置や他の装置と通信する。
【００３１】
図６は、第１の実施形態に係る経路検索装置６のソフトウェア構成の一例を示す概略ブロック図である。
経路検索装置６は、情報取得部６００と、経路検索部６０１と、抽出部６０２と、予測品質要求部６０３と、予測品質取得部６０４と、検索結果通知部６０５と、を含んで構成される。
情報取得部６００は、出発地と、目的地と、出発時刻または到着時刻と、所望データ量とを含む検索情報を端末装置１から取得する。
【００３２】
経路検索部６０１は、端末装置１から取得した検索情報に含まれる出発地から目的地までの経路検索を実行し、出発地から到着地までの経路と、到着地への到着予定時刻とを含む経路情報（検索結果情報）を生成する。
抽出部６０２は、経路検索部６０１が生成した経路情報または情報取得部６００が取得した検索情報に含まれる目的地における無線アクセスポイントの位置情報を、管理装置７から抽出する。
【００３３】
予測品質要求部６０３は、経路検索部６０１が生成した経路情報に基づいて、目的地における到着予定時刻での通信品質の予測を要求する。
予測品質取得部６０４は、予測品質要求部６０３による通信品質の予測要求に対する予測結果として予測通信品質を取得する。具体的には、予測品質取得部６０４は、予測通信品質取得要求に対する応答として、測定結果記憶装置４に記憶された過去に目的地で測定され、且つ到着予定時刻が含まれる時間帯、曜日等に該当する通信品質を予測装置８が取得し、取得した過去に目的地で測定され、且つ到着予定時刻が含まれる時間帯、曜日等に該当する通信品質に対して、平均値の算出や中央値の算出等の解析を予測装置８が行った結果を予測通信品質として取得する。
【００３４】
検索結果通知部６０５は、予測品質取得部６０４が取得した予測通信品質を、検索結果情報として端末装置１に通知する。検索結果情報には、出発地から目的地までの経路情報と、所望データ量のアップロード又はダウンロードにかかる所要時間と、予測通信品質と、到着地等における無線アクセスポイントの有無の情報が含まれる。
【００３５】
なお、情報取得部６００が、出発地と、目的地の他に経由地の情報も受け付けてもよい。この場合、経由地を第１目的地、目的地を第２目的地として、第１目的地と第２目的地とのそれぞれの予測通信品質を予測装置８から取得すればよい。また、経路検索部６０１は、出発地から目的地までの経路検索結果として、例えば乗換地や休憩地があるときには、該乗換地や該休憩地を第１目的地、最終目的地を第２目的地などとして、無線アクセスポイントの抽出や予測通信品質を取得してもよい。
【００３６】
図７は、第１の実施形態に係る経路検索装置６のソフトウェア構成の他の一例を示す概略ブロック図である。
図示するように、経路検索装置６は、予測品質取得部６０４を少なくとも備えていればよい。
【００３７】
図８は、第１の実施形態に係る端末装置１による情報処理の一例を示すフローチャートである。
ステップＳ１０１において、端末装置１は、入力部１０３がユーザから検索情報を受け付けることにより検索情報を取得し、経路検索装置６に該検索情報を送信する。
ステップＳ１０２において、端末装置１は、検索情報の送信に対する応答として経路検索装置６から経路検索結果と予測通信品質とを含む検索結果情報を取得する。
ステップＳ１０３において、端末装置１は、取得した検索結果情報を表示してユーザに提示する。
【００３８】
図９は、第１の実施形態に係る経路検索装置６による情報処理の一例を示すフローチャートである。
ステップＳ２０１において、経路検索装置６は、端末装置１から検索情報を取得する。
ステップＳ２０２において、経路検索装置６は、検索情報に基づいて経路検索を実行し、経路情報を生成する。
ステップＳ２０３において、経路検索装置６は、経路情報に基づいて、管理装置７から目的地における無線アクセスポイントの位置情報を抽出する。
ステップＳ２０４において、経路検索装置６は、経路情報に基づいて、目的地における到着予定時刻での通信品質の予測を予測装置８に要求する。
ステップＳ２０５において、経路検索装置６は、要求に対する応答として、目的地における到着予定時刻での予測通信品質を、予測装置８から取得する。
ステップＳ２０６において、経路検索装置６は、取得した予測通信品質に基づいて、出発地から目的地までの経路情報と、所望データ量のアップロード又はダウンロードにかかる所要時間と、予測通信品質と、到着地等における無線アクセスポイントの有無の情報を含む検索結果情報を端末装置１に通知する。
【００３９】
このように、第１の実施形態によれば、経路検索装置６（情報処理装置）は、出発地と、到着地と、出発地での出発時刻および到着地での到着時刻のいずれかの時刻情報と、データサイズとを含む検索情報を取得する情報取得部６００と、検索情報に基づいて、出発地から到着地までの経路を検索して経路情報を取得する検索部（経路検索部６０１）と、経路情報に基づいて、少なくとも到着地における無線通信装置（無線アクセスポイント）の予測通信品質を取得する予測品質取得部６０４と、検索結果と、予測通信品質とを通知する通知部（検索結果通知部６０５）と、を備える。
【００４０】
このような構成により、目的地に到着する前の段階で到着時刻における、過去の実測値に基づく通信品質が予測できるためユーザの利便性を向上させることができる。また、該予測通信品質で所望のデータ量の通信に要する時間を把握できるためユーザの利便性を向上させることができる。
【００４１】
なお、測定装置３、測定結果記憶装置４、経路検索装置６、管理装置７、予測装置８のうちの複数の装置を組み合わせて１つまたは複数の装置として再構成してもよいし、測定装置３、測定結果記憶装置４、経路検索装置６、管理装置７、予測装置８のうちのいずれかの装置の一部の機能を他の装置で実行することによって本実施形態を実現してもよい。
【００４２】
なお、第１の無線アクセスポイントや第２の無線アクセスポイントはＷｉ−Ｆｉ（登録商標）を用いるものに限定されず、例えば、携帯電話網の通信品質の予測に本実施形態を適用してもよい。このようにすることで、エリアごとに通信速度が異なる場合であっても、移動経路のうち、より短時間でファイルを送受信するのに適した地点を把握することができるため、ユーザの利便性を向上させることができる。
【００４３】
なお、本発明の一態様における端末装置１、経路検索装置６で動作するプログラムは、本発明の一態様に関わる上記の各実施形態や変形例で示した機能を実現するように、ＣＰＵ（Central  Processing  Unit）等を制御するプログラム（コンピュータを機能させるプログラム）であっても良い。そして、これらの各装置で取り扱われる情報は、その処理時に一時的にＲＡＭ（Random  Access  Memory）に蓄積され、その後、Ｆｌａｓｈ  ＲＯＭ（Read  Only  Memory）などの各種ＲＯＭやＨＤＤ（Hard  Disk  Drive）に格納され、必要に応じてＣＰＵによって読み出し、修正・書き込みが行われる。
【００４４】
なお、上述した各実施形態や変形例における端末装置１、経路検索装置６の一部、をコンピュータで実現するようにしても良い。その場合、この制御機能を実現するためのプログラムをコンピュータが読み取り可能な記録媒体に記録して、この記録媒体に記録されたプログラムをコンピュータシステムに読み込ませ、実行することによって実現しても良い。
【００４５】
なお、ここでいう「コンピュータシステム」とは、端末装置１、経路検索装置６に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【００４６】
さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【００４７】
また、上述した各実施形態や変形例における端末装置１、経路検索装置６の一部、又は全部を典型的には集積回路であるＬＳＩとして実現してもよいし、チップセットとして実現してもよい。また、上述した各実施形態や変形例における端末装置１、経路検索装置６の各機能ブロックは個別にチップ化してもよいし、一部、又は全部を集積してチップ化してもよい。また、集積回路化の手法は、ＬＳＩに限らず専用回路、および／または汎用プロセッサで実現しても良い。また、半導体技術の進歩によりＬＳＩに代替する集積回路化の技術が出現した場合、当該技術による集積回路を用いることも可能である。
【００４８】
また、上述した各実施形態や変形例では、通信装置の一例として端末装置を記載したが、本願発明の一態様は、これに限定されるものではなく、屋内外に設置される据え置き型、および／または非可動型の電子機器、たとえば、ＡＶ機器、キッチン機器、掃除・洗濯機器、空調機器、オフィス機器、自動販売機、自動車、自転車、その他生活機器などの端末装置もしくは通信装置にも適用出来る。
【００４９】
以上、実施形態を参照して本発明を説明したが、本発明は上記実施形態に限定されるものではない。本発明の構成や詳細には、本発明のスコープ内で当業者が理解し得る様々な変更をすることができる。
【００５０】
この出願は、２０１７年３月９日に出願された日本出願特願２０１７−０４４５０５を基礎とする優先権を主張し、その開示の全てをここに取り込む。
【符号の説明】
【００５１】
Ｓｙｓ  情報処理システム
１、１−１、１−２  端末装置
１０  ＣＰＵ
１１  ドライブ部
１２  記憶媒体
１３  入力部
１４  出力部
１５  ＲＯＭ
１６  ＲＡＭ
１７  補助記憶部
１８  インタフェース部
１００  位置情報取得部
１０１  品質測定部
１０２  通知部
１０３  入力部
１０４  結果取得部
１０５  表示部
２  第１の無線アクセスポイント
３  測定装置
４  測定結果記憶装置
５  第２の無線アクセスポイント
６  経路検索装置
６０  ＣＰＵ
６１  ドライブ部
６２  記憶媒体
６３  入力部
６４  出力部
６５  ＲＯＭ
６６  ＲＡＭ
６７  補助記憶部
６８  インタフェース部
６００  情報取得部
６０１  経路検索部
６０２  抽出部
６０３  予測品質要求部
６０４  予測品質取得部
６０５  検索結果通知部
７  管理装置
８  予測装置
【図１】
2018164086.tif 000003
【図２】
2018164086.tif 000004
【図３】
2018164086.tif 000005
【図４】
2018164086.tif 000006
【図５】
2018164086.tif 000007
【図６】
2018164086.tif 000008
【図７】
2018164086.tif 000009
【図８】
2018164086.tif 000010
【図９】
2018164086.tif 000011
【手続補正書】
【提出日】令和1年8月23日(2019.8.23)
【手続補正１】
【補正対象書類名】特許請求の範囲
【補正対象項目名】請求項９
【補正方法】変更
【補正の内容】
【請求項９】
情報処理装置のコンピュータに、
出発地から到着地までの経路情報に基づいて、少なくとも前記到着地における無線通信装置の予測通信品質を取得する処理、
を実行させるためのプログラム。
【手続補正２】
【補正対象書類名】特許請求の範囲
【補正対象項目名】請求項１０
【補正方法】変更
【補正の内容】
【請求項１０】
端末装置のコンピュータに、
出発地から到着地までの経路情報と、少なくとも前記到着地における無線通信装置の予測通信品質とを表示する処理、
を実行させるためのプログラム。
【国際調査報告】
2018164086.tif 000012
2018164086.tif 000013
2018164086.tif 000014
2018164086.tif 000015